(57)【特許請求の範囲】
【請求項１】
本体（１０）と、前記本体（１０）に対し開いた位置と閉じた位置との間で旋回可能に取着された少なくとも一つのカバー部材（１１、１２）と、を備えた流動体ディスペンサー装置であって、
細長い帯状部材（１００）上に配置され、それぞれ粉末などの流動体を１ドーズずつ収納する複数の個別の容器と、
装置が駆動される毎に個別の容器を開封するために設けられた開封手段（８０）と、
各駆動毎に、非吐出位置と吐出位置との間で移動可能であって、個別の容器を前記開封手段（８０）に向けて移動させる可動支持手段（５０）と、
ドラム（１０００）と駆動部材（２０００）とを有する帯状部材巻き取りシステムと
を備え、
前記細長い帯状部材（１００）の先端部（１０１）が、前記ドラム（１０００）に固定されると共に、
前記駆動部材（２０００）は、前記可動支持手段（５０）が前記本体（１０）に対して非吐出位置から吐出位置に向けて移動するときの第１の回転方向と、前記第１の回転方向と反対であって前記可動支持手段（５０）が吐出位置から非吐出位置まで移動するときの第２の回転方向に回転し、
前記駆動部材（２０００）は、前記ドラム（１０００）を、前記第２の方向に回転するときのみ回転させる
ことを特徴とする流動体ディスペンサー装置
【請求項２】
前記ドラム（１０００）は、戻り防止手段（３００６、３００７）によって、前記第１の回転方向に回転することが防止されている
ことを特徴とする請求項１に記載の流動体ディスペンサー装置。
【請求項３】
前記戻り防止手段は、変形可能なタブ（３００７）に配設されたラグ（３００６）を備え、
前記ラグ（３００６）が、ドラム（１０００）の第１の組の歯（１０２１）と協働して、前記ドラム（１０００）が前記第１の回転方向に回転するのを防止しており、
前記変形可能なタブ（３００７）は、前記ドラム（１０００）が、前記第２の回転方向に回転することができるように変形する
ことを特徴とする請求項２に記載の流動体ディスペンサー装置。
【請求項４】
前記駆動部材（２０００）は、可撓性のタブ（２００２）を備え、
前記可撓性のタブ（２００２）は、ドラム（１０００）の第２の組の歯（１０２２）と協働して、前記ドラム（１０００）を前記第２の回転方向に回転させると共に、ドラム（１０００）に対し、前記駆動部材（２０００）を前記第１の回転方向への回転が可能なように変形する
ことを特徴とする請求項１から３までのいずれかに記載の流動体ディスペンサー装置。
【請求項５】
前記駆動部材（２０００）は、可動支持手段（５０）の制御開口部（５５）と協働する指部（２００１）を備え、前記可動支持手段（５０）が吐出位置から非吐出位置に移動するとき、前記可動支持手段（５０）の前記制御開口部（５５）は、前記指部（２００１）を駆動することによって、前記駆動部材（２０００）が第２の回転方向に回転する
ことを特徴とする請求項１から４までのいずれかに記載の流動体ディスペンサー装置。
【請求項６】
吸入用ピース（２００）と協働して変形可能な空気室（６１）と、前記空気室（６１）と協働するトリガー部材（６００）とを備えた吸入トリガーシステム（６０）を備え、
前記吸入用ピース（２００）を介して吸入している間に、前記空気室（６１）が変形され、前記トリガー部材（６００）が前記開封手段（８０）を駆動することにより、容器が、前記吸入用ピース（２００）を介して吸入している間に開封手段（８０）により開封される
ことを特徴とする請求項１から５までのいずれかに記載の流動体ディスペンサー装置。
【請求項７】
前記開封手段（８０）は、本体（１０）に対して静止している穿孔部材を含み、当該穿孔部材は、その穿孔により切り開いた容器の封止壁の部分が、当該穿孔により形成された容器の開口部分を塞がないようになっている
ことを特徴とする請求項１から６までのいずれかに記載の流動体ディスペンサー装置。
【発明の詳細な説明】
【技術分野】
【０００１】
本発明は流動体ディスペンサー装置に関し、特に粉末吸入器に関する。
【背景技術】
【０００２】
吸入器は、従来からよく知られている。様々なタイプの吸入器が存在する。第１のタイプの吸入器は、多くのドーズ（dose：１回分の投与量）分の粉末を収納した容器を有し、各駆動ごとに容器から１ドーズ分の粉末を取り分ける計量手段を備えており、ユーザーに投与するため排出ダクトに当該取り分けた粉末を導くものである。
容器が使用される前に、吸入器に装着されるカプセルのような個別の容器を含む吸入器も従来技術で述べられている。
【０００３】
このような装置の利点は、装置の内部に全てのドーズを格納する必要がなく、装置をコンパクトにできるということである。
しかしながら、当該吸入器は、さらに使用しづらい。ユーザーが使用する度に吸入器にカプセルを充填しなければならないからである。
別のタイプの吸入器は、複数のドーズの粉末を予め個別の容器に分けておき、吸入器が駆動される度に１つの容器を開封するというものである。
【０００４】
このように実施することで、各ドーズは、排出される直前にのみ開封されるので、粉末の密閉状態が効果的に維持される。
そのような個別の容器を作るため、例えば、細長いブリスターストリップ（blister strip：帯状部材に沿って複数のブリスターを配置したもの）もしくは、回転式の円盤に複数のブリスターを配置したものなどの、様々な技術がすでに提案されてきている。
【０００５】
上述のタイプを含む、現存する全てのタイプの吸入器は、その構造と操作性に関し、長所と短所を有している。
ある吸入器では、駆動の度に計量の正確性と再現性に問題がある。加えて、いくつかの吸入器については、吐出の効率性、すなわち、有益な治療効果を得るためにユーザーの肺まで有効に到達するドーズの割合が問題となる。
【０００６】
そのような特定の問題を解決するための解決策は、ドーズの排出を患者の吸入動作に同期させることであった。
特に、このタイプの装置においては、一般的に、吸入前に最初に排出ダクトに充填され、排出は吸引と同期して行われるので、再び欠点が生じる。
すなわち、もし、ユーザーがドーズを充填してから（多数ドーズを収納する容器を利用した場合と個別の容器を利用した場合とを問わない）、吸入するまでの間に、吸入器を落としたり、振ったり、望ましくない方法あるいは適切でない方法で取り扱えば、ユーザーは、ドーズの全てもしくは一部を失い、そのようなドーズは、装置内に分散してしまう。
【０００７】
そのような場合、次回装置を使用したときに、過剰投与の起こる危険性が高い。
ドーズが完全ではないことが分かったユーザーは、新たなドーズを装置に充填するであろう。そして、新たなドーズが吸入されると共に、装置内に分散した先のドーズの一部が新たなドーズと同時に排出され、それ故、過剰投与となるのである。
上記の予想通り取り扱われれば、そのような過剰投与は大変有害となり得るのであり、全ての国の当局では、過剰投与の危険性を制限するため、できるだけ厳しい要求事項を発表している。
【０００８】
動作時における大きな応力に耐える必要があり、そして誤動作のおそれを避けるため組立、特に信頼性が要求される所定の部品、特に可動部品、の組立に関して別の問題が生じるかも知れない。
小さなサイズの所定の部品に関して、そのような信頼性の高い組立を保証するのは、複雑である。排出の準備（例えば、開放に際して実行される。）がなされ、そして吸引をトリガーとして排出される吸入器については、当該トリガーを発生するのに必要な吸引力の閾値を、体の弱っている人が達成することが難しいくらいに高く設定することなしに、準備後、吸引前において偶発的にトリガーされてしまう危険性を回避もしくは制限することが重要となる。
【０００９】
ブリスターストリップを具備する吸入器に存する別の問題は、ブリスターストリップの移動とブリスターストリップの使用済みの部分の格納に関する。
ブリスターストリップの長さに依存して、大きなスペースが必要となり、ブリスターストリップが詰まると、吸入器の適正な動作の妨げとなる。
加えて、ブリスターストリップを前方に進める装置が、弛んだ巻き取りを避けるため、ブリスターストリップの先端部を同期させて引っ張るときに、特に、使用済みのブリスターストリップの巻き取り径が次第に大きくなっていくことに起因して、過剰な連続巻き取りの問題が生じる。
【先行技術文献】
【特許文献】
【００１０】
【特許文献１】国際公開公報第２０１１／１５４６５８号
【特許文献２】国際公開公報第２００９／１３６０９８号
【特許文献３】フランス特許公開公報第２８８１１１７号
【特許文献４】フランス特許公開公報第２９２４３５２号
【特許文献５】アメリカ特許公開公報第２００２／０５３３４４号
【発明の概要】
【発明が解決しようとする課題】
【００１１】
本発明の目的は、上述の欠点を有さない流動体ディスペンサー装置、特に乾燥粉末吸入器を提供することである。
特に、本発明の目的は、簡単で製造および組立のコストが低く、組み立てと使用が、高い信頼性をもって行われ、駆動の度に正確な計量と再現性を保証すると共に、安全で効果的な方法により、過剰投与の危険性を避けつつ、治療されるべき領域、特に、肺に、ドーズの実質的な量を投与することを可能にすることによって、治療の効率に関して最高の成果を提供し、そして、排出されるまで、全てのドーズについて密閉性と確実な保全を保証しながらも、できるだけ、コンパクトな吸入器を提供することである。
【課題を解決するための手段】
【００１２】
それ故、本発明は、本体と、前記本体に対し開いた位置と閉じた位置との間で旋回可能に取着された少なくとも一つのカバー部材と、を備えた流動体ディスペンサー装置であって、細長い帯状部材上に配置され、それぞれ粉末などの流動体を１ドーズずつ収納する複数の個別の容器と、装置が駆動される毎に個別の容器を開封するために設けられた開封手段と、各駆動毎に、非吐出位置と吐出位置との間で移動可能であって、個別の容器を前記開封手段に向けて移動させる可動支持手段と、ドラムと駆動部材とを有する帯状部材巻き取りシステムとを備え、前記細長い帯状部材の先端部が、前記ドラムに固定されると共に、前記駆動部材は、前記可動支持手段が前記本体に対して非吐出位置から吐出位置に向けて移動するときの第１の回転方向と、前記第１の回転方向と反対であって前記可動支持手段が吐出位置から非吐出位置まで移動するときの第２の回転方向に回転し、前記駆動部材は、前記ドラムを、前記第２の方向に回転するときのみ回転させることを特徴とする。
【００１３】
有利な構成として、前記ドラムは、戻り防止手段によって、前記第１の回転方向に回転することが防止されている。
有利な構成として、前記戻り防止手段は、変形可能なタブに配設されたラグを備え、前記ラグが、ドラムの第１の組の歯と協働して、前記ドラムが前記第１の回転方向に回転するのを防止しており、前記変形可能なタブは、前記ドラムが、前記第２の回転方向に回転することができるように変形する。
【００１４】
有利な構成として、前記駆動部材は、可撓性のタブを備え、前記可撓性のタブは、ドラムの第２の組の歯と協働して、前記ドラムを前記第２の回転方向に回転させると共に、ドラムに対し、前記駆動部材を前記第１の回転方向への回転が可能なように変形する。
有利な構成として、前記駆動部材は、可動支持手段の制御開口部と協働する指部を備え、前記可動支持手段が吐出位置から非吐出位置に移動するとき、前記可動支持手段の前記制御開口部は、前記指部を駆動することによって、前記駆動部材が第２の回転方向に回転する。
【００１５】
有利な構成として、吸入用ピースと協働して変形可能な空気室と、前記空気室と協働するトリガー部材とを備えた吸入トリガーシステムを備え、前記吸入用ピースを介して吸入している間に、前記空気室が変形され、前記トリガー部材が前記開封手段を駆動することにより、容器が、前記吸入用ピースを介して吸入している間に開封手段により開封される
。
【００１６】
有利な構成として、前記開封手段は、本体に対して静止している穿孔部材を含み、当該穿孔部材は、その穿孔により切り開いた容器の封止壁の部分が、当該穿孔により形成された容器の開口部分を塞がないようになっている。
本発明のこれらの特徴と優位性および他の事は、非限定的な例によって与えられる以下の詳細な記述と、添付の図面によって、より明確にされる。
【図面の簡単な説明】
【００１７】
【図１】有利な実施の形態に係るディスペンサー装置のカバーを閉じた位置における、ディスペンサー装置のいくつかの要素を示す断面図である。
【図２】図１と同様な図であって、ディスペンサー装置の他の要素を示す断面図である。
【図３】図１と同様な図であり、吸入前のカバーが開いた位置を示す図である。
【図４】図２と同様な図であり、吸入前のカバーが開いた位置を示す図である。
【図５】図１と同様な図であり、吸入後のカバーが開いた位置を示す図である。
【図６】図２と同様な図であり、吸入後のカバーが開いた位置を示す図である。
【図７】図２と同様な図であり、カバーが閉じた位置を示す図である。
【図８】望ましい変形例におけるストリップ巻き取りシステムの分解斜視図である。
【図９】望ましい変形例におけるアクチュエータ部材の斜視図である。
【図１０】望ましい変形例におけるドラムの斜視図である。
【図１１】望ましい変形例におけるドラムの斜視図である。
【図１２】望ましい変形例における可動支持手段の斜視図である。
【図１３】望ましい変形例における支持プレートの細部の拡大斜視図である。
【図１４】ストリップ巻き取りシステムの吸入前における断面図である。
【図１５】ストリップ巻き取りシステムの吸入中における断面図である。
【図１６】ストリップ巻き取りシステムの吸入後における断面図である。
【図１７】ストリップ巻き取りシステムのスタート位置に復帰するときの断面図である。
【発明を実施するための形態】
【００１８】
図１から図７に、有利な乾燥粉末吸入器前の実施例を示す。簡潔化のため、装置の全ての要素が全ての図面において見えている訳ではない。
吸入器は、開かれて装置の駆動準備をするように開放される２つのカバー形成部１１、１２が摺動可能に装着された主本体１０を備える。
主本体１０は、各図に示すように、大体丸い形状とできるが、他の適当ないかなる形状でも可能である。
【００１９】
マウスピース２００が、主本体１０に取着されている。マウスピース２００には、装置が駆動される間、ユーザーが吸入するための吐出口５が形成されている。吐出口５は、典型的には、マウスピース２００のほぼ中央に配置されている。
カバー１１、１２は、共通の支軸もしくは平行な支軸回りに、互いに噛合して開くようになっている。装置を開放するための他のいずれの手段であってもよい。
【００２０】
変形例として、装置は２つではなく１つだけカバーを有していてもよい。
主本体１０の内部には、個別の複数の容器からなる細長いストリップ（strip：帯状部材）１００が具備される。
細長いストリップ１００は、図２、４、６、７、８に見えている。
個別の容器は、また、ブリスターとも言われるが、簡潔化のため図示されていない。
【００２１】
ブリスターは、それ自体よく知られているように、次々に並んで配列される。
ブリスターストリップ１００は、有利には、１ドーズ分の粉末を収納するためのキャビティ（cavity:くぼみ）が形成されたベース層またはベース壁と、各ブリスターを密閉するようにカバーする密閉層または密閉壁とからなる。
最初の使用の前に、ブリスターストリップ１００は、主本体１０内部の望ましくは格納部に巻き取られており、ストリップ移動手段４０、特に、回転手段が、次第にブリスターストリップ１００を巻き出して前進させるために備えられている。
【００２２】
空のブリスターを含むストリップの部分は、有利には、主本体１０の他の場所、望ましくは後に詳述する収納部に、巻き取られるようになっている。
吸入器は、望ましくは、ブリスターの密閉層を穿孔および／または切断するための、穿孔器および／またはカッター針を有するブリスター開封手段８０（簡潔化のため概略して図示されている。）を備えている。
【００２３】
望ましくは、開封手段は、主本体１０に対して静止した穿孔部材８０からなり、可動支持手段５０によって駆動される毎に各ブリスターが、穿孔部材８０と対向する位置に移動される。
可動支持手段５０、特に主本体１０に対し揺動するように装着された手段が、装置が駆動される度に各ブリスターを吐出位置まで搬送するため設けられている。
【００２４】
可動支持手段５０は、非吐出位置と、前記開封手段とブリスターが協働する吐出位置との間で揺動するよう装着されている。
ブリスターは、粉末をユーザーの吸入によって排出させるようにブリスターに穴を開ける穿孔部材によって穿孔される。
穿孔部材は、カットした部分が、形成された開口を塞がないような方法で、容器の封止壁をカットするのに適しているのが有利である。
【００２５】
国際公開公報第２００６／０７９７５０号および国際公開公報第２００９／００７６４０号には、そのようなブリスター開封手段が記載されており、それらの内容も参照することによって、本説明に組み入れられる。
移動手段４０は、ブリスターストリップ１００をユーザーの吸入毎に前進させるため適用される。
【００２６】
可動支持手段５０は、各吸入前に、駆動時に開封手段８０に対向して空にされたブリスターを移動するようになっている。
可動支持手段５０が、ばねやその他の等価な弾性材料からなる弾性部材７０によって付勢される。弾性部材７０は、装置が開放されている間、圧縮されるようになっている。
移動手段４０は、ブリスターストリップ１００を受け入れて案内する割出しホィールによって形成されているのが望ましい。
【００２７】
以下の説明は、このような割出しホィール４０に関連するものである。
割出しホィール４０の回転によってブリスターストリップ１００が前進する。
各吸入動作の前に、いつも粉末で満たされたブリスターが、開封手段８０に対向する位置に運ばれて来る。
可動支持手段５０は、支軸回りに揺動するよう装着された揺動部材を含み、割出しホィール４０は、当該揺動部材に回転可能に装着される。
【００２８】
装置の駆動サイクルは以下の通りである。
装置を開放する間に、側面部を形作るカバー１１、１２が主本体１０に対して旋回して相互に離れるように移動し、これにより装置を開放し、ばね加重を装置に蓄える。
この位置で、割出しホィール４０は、穿孔部材８０方向には移動できない。可動支持手段５０が、適当な阻止手段（blocking means）（簡潔化のため図示していない。）によって移動を阻止されているからである。
【００２９】
国際公開公報第２００９／０７７７００号および国際公開公報第２００９／１３６０９８号には、そのような阻止手段について記載されており、それらを参照することによって本説明に組み入れられるものとする。
ユーザーがマウスピースを介して吸入すると、阻止手段は、移動阻止を解除し、それ故、可動支持手段５０が揺動し、割出しホィール４０を穿孔部材に向けて移動させ、これによってブリスターが開封される。
【００３０】
上に説明したように、開封手段は、ユーザーの吸入動作によって駆動されるのが望ましい。
吸入動作によって開封手段のトリガー（trigger）とするため、吸入トリガーシステム６０が設けられている。
吸入トリガーシステム６０は、有利な構成として、吸入動作によって変形する空気室６１を備え、この空気室６１が阻止手段を解除するため適用される。
【００３１】
空気室６１は、有利な構成としてベローズ（bellows：蛇腹）の形で作成されている。
ユーザーの吸入動作によって、変形可能な空気室６１が変形して阻止手段を解除し、それ故、可動支持手段５０の移動を可能にする。これによって、ブリスターをその開封位置に移動させることができる。
したがって、ブリスターは、吸入動作に際してのみ開封され、同時に空にされる。これにより、ブリスターを開封してから空になるまでの間にドーズが失われるおそれがない。
【００３２】
図１から図７までにおける吸入器は、さらに各ブリスターが開封された後、１ドーズ分の粉末を収納するための拡散室９０を含む。
拡散室９０は、有利な構成として、装置の効率を向上させるため、特に、ブリスターが開封された後に、空気と粉末の混合物の拡散を改善するように、吸入の間、拡散室９０内で移動する少なくとも一つ、望ましくはより多くのビーズ玉（beads）９１を備える。
【００３３】
吸入後、ユーザーが、装置を閉じると、すべての構成部品が、初期の状態に戻り、休止位置となる。
そして、装置は、新たな使用サイクルのための用意をする。
本吸入器の有利な態様として、初期には装置の主本体１０内側の格納ハウジング内に、主にロール（roll）状になって格納されている柔軟な細長いストリップ上にブリスターが形成されているということである。
【００３４】
有利な構成として、巻き取られたブリスターストリップ１００は、その後端（ブリスターストリップ１００の進行方向後方側）が、主本体１０に固定されず、格納ハウジングの内壁によって保持されている。これによって、ブリスターストリップのロールを、より簡単に装置内に装着することができる。
ブリスターストリップ１００は、有利には、少なくとも一つ、望ましくはより多くの窪みを有し、各窪みが、ブリスターの形状に対応した形状となっている割出しホィール４０によって、移動される。
【００３５】
これにより、割出しホィール４０が回転するときに、ブリスターストリップ１００を前に進める。
もちろん、追加の変形例において、ブリスターストリップ１００を前進させるための他の手段を使用することも可能である。
例えば、ブリスターストリップ１００の長手方向の側部のエッジに歯形の輪郭を形成し、当該輪郭が適当な駆動手段と協働するように適用されてもよい。
【００３６】
さらに、ブリスターストリップ１００の横のエッジに沿って穴を形成し、それらの穴と協働するスプロケットホィール（sprocket wheel）によって、ブリスターストリップ１００を前進させることができる。
一つまたはそれ以上のブリスターを開封した後、ブリスターストリップ１００のブリスターが空になった部分、すなわち、ブリスターストリップ１００の先端部分が、装置内に容易かつコンパクトに収納されるように適していなければならない。
【００３７】
有利な構成として、使用済のブリスターストリップ１００は、自動的に巻き取られ、再びロール状にされる。
本吸入器のさらに別の態様として、ドーズカウンター装置もしくはドーズインジケータ装置（簡潔化のため図示していない）が設けられてもよい。
数字または符号を直接ブリスターストリップ１００にマークして、装置の主本体１０の適当な窓を介して見えるようにしてもよい。
【００３８】
変形例として、数字または符号を含む、１もしくは複数の回転ディスクまたは回転リングを有するカウンターの使用も考え得る。
国際公開公報第２００８／０１２４５８号および第２０１１／１５４６５９号にはそのようなカウンターについて記載されている。
これらの発明の目的は、例えば、装置の操作ミス、または不完全な操作の場合において、吐出されていないドーズのカウントを避けることである。
【００３９】
それ故、カウンターもしくはインジケーターは、ユーザーが吸入したときに一度だけ駆動されることが望ましい。このような吸入動作によって、ブリスターが開放し、その内部に収納されているドーズが吐出されるからである。有利な構成として、吸入動作後、ユーザーが装置を閉めたときに駆動されるのがよい。
カバー部材の一つ、例えば、可動カバー部材１２は、適当なハウジング内で摺動する打ち金部材（cocking member）８００に固定されている。
【００４０】
打ち金部材８００は有利には、主本体１０に対し、カバー部材１２と共に旋回する。打ち金部材８００は、ばね７０、有利にはコイルばねに抗して移動する。
打ち金部材８００は、その一端がばね７０に接続され、他端において、可動支持手段５０、特に、主本体１０に揺動可能に軸支され、割出しホィール４０が回転可能に取着されている揺動部材と協働する。
【００４１】
移動可能なカバー部材１２が開かれると、ばね７０を圧縮しながら打ち金部材８００が移動する。
可動支持手段５０の揺動部材は、前述の吸入動作のときにだけ解除される阻止手段により移動が阻止されている。
したがって、開放位置において吸入動作がない状態で、カバー部材１１、１２を閉じると、打ち金部材８００が休止位置に戻り、ばね７０が非圧縮状態となるだけである。
【００４２】
それ故、吸入器を開放することによって、ユーザーは、システムの駆動準備をすることになる。
もし、ユーザーが吸入せずに吸入器を閉じると、吸入器は単に、ブリスターストリップ１００もしくは阻止手段を動かすことなくスタート位置に戻るだけである。
したがって、カバー部材を開放して閉じるまでの間にユーザーの吸入動作がなければ、ブリスター（および有効なドーズ）は偶発的な事故や不完全な駆動によって損なわれることはない。
【００４３】
ブリスターを開封すること、ブリスターを空にすること、粉末をユーザーの肺に投与すること、ブリスターストリップ１００を移動させて新しい満たされたブリスターを開封手段に対向させること、そしてドーズをカウントすることは、ユーザーが吸入することによってのみ可能となる。
吸入前においては、可動支持手段５０、特に、打ち金部材８００と協働している揺動部材をブロックしている阻止手段は、トリガー部材６００によって、ユーザーの吸入動作に感応する変形可能な空気室６１に接続されている。
【００４４】
これにより、ユーザーが吸入すると、変形可能な空気室６１が変形し、トリガー部材６００を揺動させ、阻止手段を解除させる。
打ち金部材８００の圧縮されたばね７０によって生じた、可動支持手段５０を押し出す付勢力によって、可動支持手段５０が、吐出位置に向けて移動させられる。
そのような動きは、中味が満たされたブリスターを開封させ、ドーズを吐出させる。
【００４５】
可動支持手段５０にカム面が形成され、その面上を打ち金部材８００が摺動する。
したがって、打ち金部材８００は、カバー部材１２が開放されたときにばね７０を圧縮し、カバー部材１２が閉じられたときにばね７０を非圧縮の状態にするようになっている。
有利な構成として、打ち金部材８００は、カム面に接触している部分において、カム面の上を摺動しやすいように丸められた部分を含む。
【００４６】
吸入後、すなわち、吐出位置においては、阻止手段は解除されており、可動支持手段５０は圧縮されたばね７０によって上方に移動されている。
有利には、可動可能な２つのカバー部材１１、１２は、対称的に開き、および閉じることを保証するように、適当なギアを介して噛み合っている。
それらは、支軸１６、1７の近くにおいて噛み合うことができる。
【００４７】
本発明においては、ストリップ巻き取りシステムがストリップの空のブリスターを含む部分、すなわち、装置内のブリスターストリップ１００の前進方向先端部分を正確に巻き取ることを確実にするため設けられている。
図８から図１３までに、上記巻き取りシステムの有利な変形例における構成を示す。
本変形例では、ブリスターストリップ１００の前進方向における先端部１０１が、回転ドラム１０００の、特に、指部１００１に固定される。
【００４８】
回転ドラム１０００は、軸方向の一方の端部が、軸方向壁１０２０によって閉じられている中空のスリーブ部材１０１０を備える。この軸方向壁１０２０は、中央開口部１０３０を有する。
有利な構成として、指部１００１は、スリーブ部材１０１０の内部に形成される。
軸方向壁１０２０は、その外側の面に第１と第２の組の歯を含む。それらの組の歯は、軸方向壁１０２０の面から軸方向において突出している。
【００４９】
駆動部材２０００は、回転ドラム１０００の軸方向壁１０２０の外面に対して、同心状もしくは同軸状に配置されている。
駆動部材２０００は、回転ドラム１０００のスリーブ部材１０１０の内側に軸方向に延びるように、回転ドラム１０００の中央開口部１０３０を貫通する第１の軸方向ラグ（lug：突出部）２０１０を含む。
【００５０】
駆動部材２０００の、軸方向の他端部には、主本体１０に固定された支持プレート３０００の開口部３００５と協働する第２の軸方向ラグ２００５を含む。
駆動部材２０００の第２の軸方向ラグ２００５は、回転可能に開口部３００５に装着される。
駆動部材２０００は、可動支持手段５０の制御開口部５５と協働するに適した剛性の高い指部２００１を含む。
【００５１】
また、駆動部材２０００は、回転ドラム１０００の第２の組の歯１０２２と協働するに適した可撓性のタブ２００２を含む。
駆動部材２０００は、主本体１０に対し、可動支持手段５０が非吐出位置から吐出位置に向けて移動するときに第１の回転方向に回転し、可動支持手段５０が吐出位置から非吐出位置に向けて移動するときに、第１の回転方向と反対の第２の回転方向に回転する。
【００５２】
支持プレート３０００は、支持プレート３０００をＵ字状に切り抜いた部分３００８により形成された変形可能なタブ３００７上に形成された突出ラグ３００６を含む。
突出ラグ３００６は、回転ドラム１０００の第１の組の歯１０２１と協働する。
ストリップ巻き取りシステムの動作を図１４から図１７を参照して説明する。
図１４は、駆動前の休止位置を示すものである。
【００５３】
ユーザーが吸入すると、可動支持手段５０が、図１５に示す矢印Ａ方向に、主本体１０および支持プレート３０００に対して移動する。
そして可動支持手段５０の制御開口部５５は、駆動部材２０００の剛性の高い指部２００１を駆動し、これにより駆動部材２０００を、第１の回転方向である図１５の矢印Ｂ方向に回転させる。
【００５４】
駆動部材２０００の可撓性のタブ２００２は、第２の組の歯１０２２の上を変形しながらスライドし、図１６に示されるように、第２の組の歯１０２２の次の歯の後ろでスナップ留めになる。
この間、支持プレート３０００の突出ラグ３００６は、回転ドラム１０００の第１の組の歯１０２１と協働することによって、回転ドラム１０００が矢印Ｂ方向に回転するのを阻止する。
【００５５】
吸入の間は、駆動部材２０００は、第１の回転方向に回転するが、回転ドラム１０００は、非復帰手段を形作る突出ラグ３００６によってブロックされて、静止したままである。
吸入後に、可動支持手段５０が初期位置に向けて復帰すると、制御開口部５５は、反対の方向、すなわち図１７の矢印Ｃ方向に旋回する。
【００５６】
これによって、駆動部材２０００は、第２の回転方向である矢印Ｄ方向に回転する。
この回転の間に、可撓性のタブ２００２は、回転ドラム１０００の第２の組の歯１０２２の一つを押して、回転ドラム１０００を、矢印Ｄの方向と同方向に回転させる。
これにより、ブリスターストリップ１００を回転ドラム１０００の回りに巻く。
このような回転ドラム１０００の回転の間、変形可能なタブ３００７は変形し、支持プレート３０００の突出ラグ３００６が、第１の組の歯１０２１の一つの歯の上をスライドし、その結果、第１の組の歯１０２１の次の歯の後ろでスナップ留めが実行される。
【００５７】
装置は、このようにして次の駆動の準備を整える。
本発明によれば、ブリスターストリップ１００の使用済みの部分を高信頼で巻き取ることが可能となり、そのような巻き取りは、吸入後に可動支持手段５０が非吐出位置に復帰する間に行われる。これによりブリスターストリップ１００の信頼性のある巻き取り、および信頼性のある吸入器の動作を保証することができる。
【００５８】
したがって、本発明は、次の１つ以上の特徴を有する乾燥粉末吸入器を提供することが可能となる。
・巻き取られたストリップに格納された、たとえば、３０個または６０個のドーズ分の、個別の封止ブリスターに格納されている複数の個別のドーズ。
・ユーザーの吸入によって達成される穿設によって粉末は放出される。ブリスターは、事前ストレス解放システムとつながった吸引検出システムによって、穿孔される。
【００５９】
・吸引完了の度ごとにブリスターストリップ１００を移動し、新たな満たされたブリスターを適当な開封手段による開封位置まで移動させるため、ブリスターに係合する適切な形状を有する駆動手段。
・吸入器が開放されてから吸入されないときにドーズが紛失するのを避ける手段。
・ブリスターストリップ１００の空になったブリスターを含む部分の信頼性の高い巻き取りを確実にするための手段。
【００６０】
・吸引のあった場合のみドーズをカウントするのに適したドーズインジケータ。
また、その他の特徴も、上述した本発明に係る装置によって提供される。
なお、様々な特徴は、たとえ、それらが吸入器で同時に備えられているものとして示されていたとしても、別々に実施されてもよい。特に、吸入トリガー機構は、容器開封手段のタイプに関わらず、ドーズインジケータの使用に関わらず、また、個別のブリスターが次から次へと配置されている方法等に関わらず、使用することができる。
【００６１】
打ち金手段と吸入トリガーシステムは他の方法でなされてもよい。
同様なことが、装置の他の構成部分についても当てはまる。
また、添付の特許請求の範囲で定義される本発明の範囲を逸脱しない範囲で、当業者にとって、種々の変形が可能である。特に、図面を参照して説明した装置の様々な特徴や機能は、適切な方法で組み合わされもよい。
【図１】
0006348969.tif 000002
【図２】
0006348969.tif 000003
【図３】
0006348969.tif 000004
【図４】
0006348969.tif 000005
【図５】
0006348969.tif 000006
【図６】
0006348969.tif 000007
【図７】
0006348969.tif 000008
【図８】
0006348969.tif 000009
【図９】
0006348969.tif 000010
【図１０】
0006348969.tif 000011
【図１１】
0006348969.tif 000012
【図１２】
0006348969.tif 000013
【図１３】
0006348969.tif 000014
【図１４】
0006348969.tif 000015
【図１５】
0006348969.tif 000016
【図１６】
0006348969.tif 000017
【図１７】
0006348969.tif 000018